(57)【要約】【課題】高価なダンパ装置を必要とすることなく、吸収式熱源機の非運転時において、吸収液からの吸収剤の析出を防止して、配管系などへの詰まり発生を確実に回避することのできる吸収式熱源機。【解決手段】吸収器１、蒸発器２、再生器３、および、凝縮器４を有する冷房運転経路Ａを備え、再生器３の加熱手段９が、排ガス発生装置１０からの排ガスにより加熱され、排ガスを加熱手段９に供給する加熱状態と非加熱状態とに切り換えるダンパ１１ａが設けられている吸収式熱源機で、再生器３内の吸収液を循環させる循環ポンプ１９を備えた液循環路２０と、冷媒蒸気を冷却して再生器３内に戻す蒸気循環路２２からなる非冷房運転経路Ｂが、冷房運転経路Ａとは別に設けられ、吸収液と冷媒蒸気を冷房運転経路Ａに供給する運転状態と非冷房運転経路Ｂに供給する非運転状態とに切り換える切り換え手段２３が設けられている。【選択図】        図１
2004263965.tif 000002
【特許請求の範囲】
【請求項１】
吸収器、蒸発器、再生器、および、凝縮器を有する冷房運転経路を備え、
前記再生器の加熱手段が、排ガス発生装置からの排ガスにより加熱されるように構成され、
その排ガスを前記加熱手段に供給する加熱状態と非加熱状態とに切り換えるダンパが設けられている吸収式熱源機であって、
前記再生器内の吸収液を循環させる循環ポンプを備えた液循環路と、前記再生器内の冷媒蒸気を冷却して再生器内に戻す蒸気循環路からなる非冷房運転経路が、前記冷房運転経路とは別に設けられ、
前記再生器内の吸収液と冷媒蒸気を前記冷房運転経路に供給する運転状態と前記非冷房運転経路に供給する非運転状態とに切り換える切り換え手段が設けられている吸収式熱源機。
【請求項２】
前記切り換え手段が、前記冷房運転経路と非冷房運転経路に設けられた複数のバルブで構成され、それらバルブの開閉と前記ダンパの切り換え作動を制御する制御手段が設けられている請求項１に記載の吸収式熱源機。
【発明の詳細な説明】
【０００１】
【発明の属する技術分野】
本発明は吸収器、蒸発器、再生器、および、凝縮器を有する冷房運転経路を備え、前記再生器の加熱手段が、排ガス発生装置からの排ガスにより加熱されるように構成され、その排ガスを前記加熱手段に供給する加熱状態と非加熱状態とに切り換えるダンパが設けられている吸収式熱源機に関する。
【０００２】
【従来の技術】
このような吸収式熱源機は、例えば、一般の空調設備や産業用の冷熱利用設備などに冷熱を供給するためのもので、排ガス発生装置としてコージェネレーションシステムにおけるガスタービンやディーゼル発電機などが使用される。
コージェネレーションシステムは、電気エネルギーと熱エネルギーを供給するもので、電気エネルギーの需要量が比較的安定して変動が少ないのに対し、熱エネルギーの需要量は季節や時間によって大幅に変動する。
そのため、従来では、排ガス発生装置からの排ガス経路にダンパを設け、吸収式熱源機の非運転時には、そのダンパの切り換え操作によって、排ガスが再生器の加熱手段側へ流入しないように構成されていた（実際に実施されてはいるが、ダンパについて詳しく言及した特許文献などは見当たらない）。
【０００３】
【発明が解決しようとする課題】
しかし、上述した従来技術では、ダンパが高温の排ガスに曝されて熱変形するため、たとえ排ガスが加熱手段側へ流入しないように切り換えても、加熱手段側への排ガスのリークを完全に阻止するのはむずかしい。
排ガスが加熱手段側へリークすると、時間の経過に伴って再生器内の吸収液が加熱されて沸騰し、吸収液の濃度が高くなるとともに、その高濃度の吸収液が吸収器側へ流出し、最終的には、吸収剤（例えば、臭化リチウム）が析出して吸収器への配管系などに詰まるおそれがある。
このようなトラブルは、ダンパを高精度にすることで回避可能ではあるが、排ガスのリークを完全に阻止するには、かなり高精度で高価なダンパ装置が必要となる。
【０００４】
本発明は、このような従来の問題点に着目したもので、その目的は、高価なダンパ装置を必要とすることなく、吸収式熱源機の非運転時において、吸収液からの吸収剤の析出を防止して、配管系などへの詰まり発生を確実に回避することのできる吸収式熱源機を提供することである。
【０００５】
【課題を解決するための手段】
請求項１の発明の特徴構成は、吸収器、蒸発器、再生器、および、凝縮器を有する冷房運転経路を備え、前記再生器の加熱手段が、排ガス発生装置からの排ガスにより加熱されるように構成され、その排ガスを前記加熱手段に供給する加熱状態と非加熱状態とに切り換えるダンパが設けられている吸収式熱源機であって、前記再生器内の吸収液を循環させる循環ポンプを備えた液循環路と、前記再生器内の冷媒蒸気を冷却して再生器内に戻す蒸気循環路からなる非冷房運転経路が、前記冷房運転経路とは別に設けられ、前記再生器内の吸収液と冷媒蒸気を前記冷房運転経路に供給する運転状態と前記非冷房運転経路に供給する非運転状態とに切り換える切り換え手段が設けられているところにある。
【０００６】
請求項１の発明の特徴構成によれば、再生器内の吸収液を循環させる循環ポンプを備えた液循環路と、再生器内の冷媒蒸気を冷却して再生器内に戻す蒸気循環路からなる非冷房運転経路が、吸収器、蒸発器、再生器、および、凝縮器を有する冷房運転経路とは別に設けられ、再生器内の吸収液と冷媒蒸気を冷房運転経路に供給する運転状態と非冷房運転経路に供給する非運転状態とに切り換える切り換え手段が設けられているので、吸収式熱源機の運転時には、再生器内の吸収液と冷媒蒸気を冷房運転経路に供給して所望どおりの冷房運転を実行することができ、吸収式熱源機の非運転時には、再生器内の吸収液と冷媒蒸気を非冷房運転経路に供給することができる。
【０００７】
すなわち、吸収式熱源機の非運転時において、たとえ排ガス発生装置からの排ガスが再生器の加熱手段側へリークして吸収液が加熱されても、吸収液は液循環路と再生器の間で循環され、加熱により発生した冷媒蒸気は、蒸気循環路によって冷却されて再生器内に戻されるので、再生器における吸収液の濃度はほぼ一定の範囲内に維持され、少なくとも、高濃度となって吸収剤が析出するようなことはない。
したがって、殊更、高精度で高価なダンパ装置を必要とすることもなく、吸収式熱源機の非運転時において、吸収液からの吸収剤の析出を防止して、配管系などへの詰まり発生を確実に回避することができる。
【０００８】
請求項２の発明の特徴構成は、前記切り換え手段が、前記冷房運転経路と非冷房運転経路に設けられた複数のバルブで構成され、それらバルブの開閉と前記ダンパの切り換え作動を制御する制御手段が設けられているところにある。
【０００９】
請求項２の発明の特徴構成によれば、前記切り換え手段が、冷房運転経路と非冷房運転経路に設けられた複数のバルブで構成されているので、比較的簡単な構造で入手も容易なバルブにより切り換え手段を安価に製作できるとともに、それらバルブの開閉とダンパの切り換え作動が制御手段により制御されるので、バルブの開閉とダンパの切り換えが所望どおりに実行されて、誤作動の危険性が回避される。
【００１０】
【発明の実施の形態】
本発明による吸収式熱源機の実施の形態を図面に基づいて説明する。
この吸収式熱源機は、例えば、一般の空調設備や産業用の冷熱利用設備などに冷熱を供給するためのもので、通常、冷房用の冷熱と暖房用の温熱を択一的に供給することが可能な吸収式冷温水機として構成される。
一重効用式の吸収式冷温水機であれば、図１に示すように、吸収器１、蒸発器２、再生器３、および、凝縮器４を有し、吸収器１には、吸収器用伝熱管１ａが配設され、凝縮器４には、凝縮器用伝熱管４ａが配設されていて、図外の冷却塔からの冷却水が、吸収器用伝熱管１ａを通流した後、凝縮器用伝熱管４ａを通流するように、冷却塔との間で循環するように構成されている。
【００１１】
吸収器１の下部には、低濃度の吸収液である稀液用の稀液配管５が接続され、その稀液配管５が、熱交換器６を通って再生器３の下部に接続されて、稀液配管５には、稀液用ポンプ７と逆止弁８が介装されている。
再生器３は、その上部に気液分離部３ａを備え、かつ、加熱手段としての加熱用伝熱管９を有していて、その加熱用伝熱管９に対し、図外のコージェネレーションシステムにおけるガスタービンやディーゼル発電機などの排ガス発生装置１０からの排ガスがダンパ装置１１を介して供給されるように構成されている。
そのダンパ装置１１は、回動自在なダンパ１１ａを備えていて、図示のように上方へ回動操作することにより、排ガスを加熱用伝熱管９に供給して再生器３内の吸収液を加熱する加熱状態と、下方へ回動操作することにより、排ガスを外部へ排出する非加熱状態とに切り換え自在に構成されている。
【００１２】
再生器３において、その気液分離部３ａの上部には、冷媒蒸気を移送する蒸気配管１２が接続され、それが凝縮器４に接続されるとともに、気液分離部３ａの下部には、高濃度の吸収液である濃液用の濃液配管１３が接続され、その濃液配管１３が、熱交換器６を通って吸収器１の上部に配置された散布具（図示せず）に接続されている。
凝縮器４には、冷媒水を移送する冷媒配管１４が接続され、その冷媒配管１４が、蒸発器２の上部に配置された散布具（図示せず）に接続され、蒸発器２の下部と冷媒配管１４とが、冷媒ポンプ１５を有する冷媒用の循環配管１６により接続されている。
そして、蒸発器２には、蒸発器用伝熱管２ａが配設され、冷房運転時には冷水を、暖房運転時には温水を図外の熱交換器に移送して、冷房運転または暖房運転を実行するように構成されている。
【００１３】
以上のようにして、吸収器１、蒸発器２、再生器３、および、凝縮器４を有する冷房運転経路Ａが構成され、さらに、再生器３の気液分離部３ａの下部と蒸発器２の上部との間には、暖房弁１７を有する暖房配管１８が配設されて、暖房運転も兼用できるように構成されている。
そして、冷房運転経路Ａを構成する再生器３には、冷房運転経路Ａとは別に非冷房運転経路Ｂが設けられ、その非冷房運転経路Ｂは、再生器３内の吸収液を循環させる循環ポンプ１９を備えた液循環路２０と、再生器３内の冷媒蒸気を冷却する冷却器２１を備えて再生器３内の冷媒蒸気を冷却して再生器３内に戻す蒸気循環路２２により構成されている。
【００１４】
すなわち、液循環路２０は、再生器３の中間部と下部を接続するように配設され、再生器３の下部近くに配設された循環ポンプ１９によって、再生器３内の吸収液を循環させるように構成されている。また、蒸気循環路２２は、再生器３の気液分離部３ａの上部に接続され、液循環路２０の一部を兼用する状態で再生器３の下部に接続され、気液分離部３ａの近くに空冷式の冷却器２１が設けられている。
そして、液循環路２０において、蒸気循環路２２との接続箇所より上手側に第１電磁バルブＶ１が、循環ポンプ１９より下手側に第２電磁バルブＶ２が設けられ、また、蒸気循環路２２において、冷却器２１の上手側に第３電磁バルブＶ３が設けられ、さらに、冷房運転経路Ａにおいて、蒸気配管１２に第４電磁バルブＶ４が、濃液配管１３に第５電磁バルブＶ５が設けられている。
【００１５】
これら第１〜第５電磁バルブＶ１〜Ｖ５は、再生器３内の吸収液と冷媒蒸気を冷房運転経路Ａに供給する運転状態と、その吸収液と冷媒蒸気を非冷房運転経路Ｂに供給する非運転状態とに切り換え操作するための切り換え手段２３として機能するもので、制御手段としての制御器２４により開閉制御されるように構成されている。
そして、ダンパ装置１１のダンパ１１ａと循環ポンプ１９も制御器２４により制御され、排ガス発生装置１０からの排ガスが加熱用伝熱管９に供給される加熱状態では、ダンパ１１ａが上方へ回動制御され、第１〜第３電磁バルブＶ１〜Ｖ３が閉弁制御されて循環ポンプ１９が停止され、第４と第５電磁バルブＶ４，Ｖ５が開弁制御される。また、非加熱状態では、ダンパ１１ａが下方へ回動制御され、第１〜第３電磁バルブＶ１〜Ｖ３が開弁制御されて循環ポンプ１９が作動されるとともに、第４と第５電磁バルブＶ４，Ｖ５が閉弁制御されるのである。
なお、図中２５は、再生器３における液面検出器である。
【００１６】
したがって、ダンパ１１ａが上方へ回動された加熱状態では、冷房運転経路Ａによって所望どおりの冷房運転が実行され、また、暖房運転も実行可能となる。暖房運転時の開閉弁制御は前記冷房運転時の開閉弁制御に加え、加熱状態では、暖房弁１７が開弁制御され、非加熱状態では、暖房弁１７が閉弁制御される。
そして、ダンパ１１ａが下方へ回動された非加熱状態では、第４と第５電磁バルブＶ４，Ｖ５が閉弁され、第１〜第３電磁バルブＶ１〜Ｖ３が開弁され、かつ、循環ポンプ１９が作動される。
そのため、排ガス発生装置１０からの排ガスが再生器３の加熱用伝熱管９側へリークして、再生器３内の吸収液が加熱されても、吸収液や冷媒蒸気が冷房運転経路Ａ側へ流出することはなく、吸収液は液循環路２０によって再生器３との間で循環され、冷媒蒸気は冷却器２１で冷却され、冷媒水となって再生器３へ戻されるので、再生器３内の吸収液が濃縮されることはなく、吸収剤の析出は確実に防止される。
【００１７】
〔別実施形態〕
（１）先の実施形態では、吸収式熱源機の一例として一重効用式の吸収式冷温水機を示したが、高温再生器と低温再生器を備えた二重効用式の吸収式冷温水機にも適用できるのは勿論のこと、暖房運転機能を備えていない冷房専用の吸収式冷凍機にも適用可能である。
また、非冷房運転経路Ｂを構成する蒸気循環路２２に空冷式の冷却器２１を設けた例を示したが、冷却器２１は空冷式に限るものではなく、水冷式などの各種の冷却器を使用することができる。
【００１８】
（２）先の実施形態では、制御手段としての制御器２４によって、第１〜第５電磁バルブＶ１〜Ｖ５の開閉作動とダンパ１１ａの切り換え作動を制御する構成を示したが、例えば、電磁バルブＶ１〜Ｖ５に代えて手動操作式のバルブを使用し、そのバルブとダンパ１１ａとを手動により各別に切り換え操作するように構成することもできる。
【図面の簡単な説明】
【図１】吸収式冷温水機の概略ブロック図
【符号の説明】
１          吸収器
２          蒸発器
３          再生器
４          凝縮器
９          加熱手段
１０        排ガス発生装置
１１ａ      ダンパ
１９        循環ポンプ
２０        液循環路
２２        蒸気循環路
２３        切り換え手段
２４        制御手段
Ａ          冷房運転経路
Ｂ          非冷房運転経路
Ｖ１〜Ｖ５  バルブ
【図１】
2004263965.tif 000003